(57)【要約】【課題】  廊下灯のカバーを引き上げて患者の氏名を確認した後に、看護師が余計な気を使うことなく、患者の氏名を確実に隠すことができるようにする。【解決手段】  フレーム１の患者氏名表示部１ａが隠れるように保護カバー２が自重により下方にスライドされると共に、保護カバー２とフレーム１との衝突時の騒音や衝撃がクッション３により吸収されるので、看護師は、患者の氏名を確認した後に、保護カバー２を元の位置に戻す必要がなくなり、保護カバー２が元の位置に戻る前に保護カバー２から手を放すことができ、余計な気を使うことなく、患者の氏名を確実に隠すことができる。【選択図】        図２
2007094608.tif 000002
【特許請求の範囲】
【請求項１】
一方の面に少なくとも患者の氏名を表示し、他方の面を壁面に取り付けるフレームと、
前記フレームに表示された前記患者の氏名を隠さない第１の位置と前記患者の氏名を隠す第２の位置との間を上下方向にスライドするように前記フレームに取り付けた保護カバーと、
前記保護カバーが前記第２の位置にある場合に、前記フレーム及び前記保護カバーの両方又は何れか一方に前記フレームと前記保護カバーとの衝突を防止するクッションと、
を備えた廊下灯。
【請求項２】
一方の面に少なくとも患者の氏名を表示し、他方の面を壁面に取り付けるフレームと、
前記フレームに表示された前記患者の氏名を隠さない第１の位置と、前記患者の氏名を隠す第２の位置との間を上下方向にスライドするように前記フレームに取り付けた保護カバーと、
前記保護カバーが前記第１の位置から前記第２の位置にスライドする際に、前記保護カバーの下方へのスライドの速度を緩和するダンパーと、
を備えた廊下灯。
【発明の詳細な説明】
【技術分野】
【０００１】
本発明は、病院などの施設における病室の出入口の近傍に設けられ、病室の番号や患者の氏名などを表示する廊下灯に関する。
【背景技術】
【０００２】
従来、病院などの施設では、患者の居る病室の出入口近傍に廊下灯を設けている。この廊下灯には、病室の番号や患者の氏名などが表示されている。また、廊下灯は、ナースセンターなどに設置されたナースコール親機と連動している。病室内のベッド近傍に設置されたナースコール子機により患者が呼出しを行うと、ナースコール子機は、ナースコール親機や看護師が携帯する無線端末装置に呼出しを通知すると共に、廊下灯を点灯させる。また、看護師は、廊下灯の点灯によって、呼出しを行った患者が居る病室を特定することができる。
【０００３】
ところで、廊下灯に表示される患者の氏名について、プライバシー保護の観点から改善の要望がある。これに対して、廊下灯の患者の氏名が表示されている表面にスライド式のカバーを取り付け、必要に応じて看護師がカバーをスライドさせることで、通常はカバーにより隠されている患者の氏名を看護師が確認できるようにする技術が知られている（例えば、特許文献１など）。
【特許文献１】特開２００４−９４７６４号公報
【０００４】
しかしながら、この特許文献１に記載の技術では、カバーをスライドさせて引き上げた場合に、カバーストッパによりカバーの位置が停止してしまうので、看護師は、患者の氏名を隠すためにいちいちカバーを引き下げて元の位置に戻さなくてはいけないという問題点があった。また、特許文献１に記載の技術では、カバーを引き下げる場合に、看護師が途中で手を放してしまうと、カバーが自重で下がって廊下灯のフレームに衝突し、騒音が発生したり、カバーやフレームが傷んだりするので、看護師は、カバーが元の位置に戻るまで手を放すことができないという問題点があった。
【発明の開示】
【発明が解決しようとする課題】
【０００５】
本発明は、このような問題を解決するために成されたものであり、廊下灯のカバーを引き上げて患者の氏名を確認した後に、看護師が余計な気を使うことなく、患者の氏名を確実に隠すことができるようにすることを目的とする。
【課題を解決するための手段】
【０００６】
上述した課題を解決するために、本発明では、フレームに表示された患者の氏名を隠さない位置と患者の氏名を隠す位置との間を上下方向にスライドする保護カバーと、保護カバーが患者の氏名を隠す位置にある場合に、フレーム及び保護カバーの両方又は何れか一方にフレームと保護カバーとの衝突を防止するクッションを取り付けるようにしている。
【０００７】
また、本発明の他の態様によれば、フレームに表示された患者の氏名を隠さない位置から患者の氏名を隠す位置にスライドする保護カバーの下方へのスライドの速度を緩和するダンパーを備えるようにしている。
【発明の効果】
【０００８】
上記のように構成した本発明によれば、フレームに表示された患者の氏名が隠れるように保護カバーが自重により下方にスライドされると共に、保護カバーとフレームとの衝突時の騒音や衝撃がクッションにより吸収されるので、看護師は、患者の氏名を確認した後に、保護カバーを元の位置（患者の氏名が隠れる位置）に戻す必要がなくなる。また、保護カバーが元の位置に戻る前に保護カバーから手を放すことができる。従って、看護師に余計な気を使わせることなく、患者の氏名を確実に隠すことができる。
【０００９】
また、本発明の他の態様によれば、保護カバーが下方に移動する速度がダンパーにより緩和されるので、保護カバーは、下方にゆっくりとスライドする。これにより、保護カバーが元の位置に戻る際に、保護カバーとフレームとの衝突時の騒音や衝撃が緩和される。従って、看護師に余計な気を使わせることなく、患者の氏名を確実に隠すことができる。また、保護カバーが下方にゆっくりとスライドするので、保護カバーを上方に引き上げた場合に、患者の氏名が表示される時間が長くなる。従って、患者の氏名を確認する際に、看護師は、保護カバーを押さえておく必要がなくなる。
【発明を実施するための最良の形態】
【００１０】
以下、本発明の一実施形態を図面に基づいて説明する。図１（ａ）は、本実施形態による廊下灯の構成例を示す正面図であり、図１（ｂ）は、本実施形態による廊下灯の構成例を示す側面図である。図１に示すように、本実施形態による廊下灯は、フレーム１及び保護カバー２を備えて構成されている。また、フレーム１は、患者氏名表示部１ａ、救護区分表示部１ｂ、スライド用凹条部１ｃを備えて構成されている。また、保護カバー２は、救護区分表示窓２ａ、スライド用凸条部２ｂ、クッション３を備えて構成されている。
【００１１】
図１において、フレーム１は、患者が在室する病室の出入口近傍の廊下側に図中裏面部分を取り付けている。また、患者氏名表示部１ａは、フレーム１の図中表面部に設けられており、病室内のベッドの数と同数が縦横に並べられている（本実施形態では、ベッドの数は４床である）。ここで、患者氏名表示部１ａは、ネームプレートなどにより交換自在に取り付けられている。また、救護区分表示部１ｂは、各患者氏名表示部１ａの近傍に設けられており、それぞれ、「担送」、「護送」、「独歩」などの救護区分に対応した色を切り換え表示可能である。
【００１２】
フレーム１の表面部には、患者の呼出しに対応して点灯する図示しない点灯部や、患者の呼出し状態を元の状態に復旧させるための図示しない復旧スイッチが設けられている。また、スライド用凹条部１ｃは、患者氏名表示部１ａ及び救護区分表示部１ｂを挟むようにフレーム１に二箇所設けられている。ここで、スライド用凹条部１ｃは、患者氏名表示部１ａや救護区分表示部１ｂよりも図中前面に設けられている。
【００１３】
保護カバー２は、フレーム１の患者氏名表示部１ａ及び救護区分表示部１ｂを覆うように、図中前面にスライド自在に取り付けられる。救護区分表示窓２ａは、保護カバー２がフレーム１の患者氏名表示部１ａ及び救護区分表示部１ｂを完全に覆った状態において、救護区分表示部１ｂに対応する位置に配置されており、透明性を有する部材により構成されている。ここで、保護カバー２は、患者氏名表示部１ａを隠す必要があるので、救護区分表示窓２ａを除いて不透明の部材により構成されている。
【００１４】
スライド用凸条部２ｂは、保護カバー２の側面にそれぞれ設けられており、フレーム１のスライド用凹条部１ｃに挿入される。ここで、スライド用凹条部１ｃとスライド用凸条部２ｂとの働きにより、保護カバー２は、図２に示すように、患者氏名表示部１ａを見せる（隠さない）第１の位置（図２（ａ））と患者氏名表示部１ａを隠す第２の位置（図２（ｂ））との間をスライド可能である。なお、保護カバー２が第２の位置よりも上方に移動してフレーム１から抜けてしまうのを防止するために、図示しないストッパをフレーム１や保護カバー２に設けても良い。また、本実施形態では、フレーム１にスライド用凹条部１ｃを設け、保護カバー２にスライド用凸条部を設けるようにしているが、これに限定されない。例えば、フレーム１にスライド用凸条部を設け、保護カバー２にスライド用凹条部を設けるようにしても良い。また、凸条や凹条に限らず、保護カバー２をスライドさせることができれば、どのような構成であっても良い。
【００１５】
クッション３は、保護カバー２が患者氏名表示部１ａを隠す第２の位置にある場合に、フレーム１と保護カバー２との衝突を緩和するものであり、保護カバー２の上方の突出部２ｃの下方に設けられている。ここで、クッション３は、ウレタンやスポンジ、ゴムなどにより構成されている。これにより、保護カバー２の突出部２ｃの下方とフレーム１の上部との衝突を防止することができる。ここで、クッション３がフレーム１の上部と接触している状態で、保護カバー２の下方部分は、フレーム１の下方部分と接触しないようになっている。
【００１６】
このように構成した廊下灯は、図２（ｂ）に示す常態において、保護カバー２が下方にスライドした状態となっている。この状態では、保護カバー２により患者氏名表示部１ａが隠れている。また、各患者の救護区分については、保護カバー２に設けた救護区分表示窓２ａを介して救護区分表示部１ｂにより確認することが可能である。一方、患者の氏名を確認する場合には、看護師は、図２（ａ）に示すように、保護カバー２を上方にスライドさせる。そして、看護師が患者の氏名の確認を終えて保護カバー２から手を放すと、保護カバー２は、自重により下方にスライドし、図２（ｂ）に示すように、患者氏名表示部１ａを隠す状態となる。また、クッション３により、保護カバー２とフレーム１との衝突を緩和している。
【００１７】
以上詳しく説明したように、本実施形態によれば、フレーム１の患者氏名表示部１ａが隠れるように保護カバー２が自重により下方にスライドされると共に、保護カバー２とフレーム１との衝突時の騒音や衝撃がクッション３により吸収される。これにより、看護師は、患者の氏名を確認した後に、保護カバー２を元の位置に戻す必要がなくなる。また、看護師は、保護カバー２が元の位置に戻る前に保護カバー２から手を放すことができる。従って、看護師に余計な気を使わせることなく、患者の氏名を確実に隠すことができる。
【００１８】
なお、前述した実施形態では、フレーム１にスライド用凹条部１ｃを設け、保護カバー２にスライド用凸条部を設けるようにしているが、これに限定されない。例えば、図３に示すように、フレーム４に回転式ダンパー５を設け、保護カバー６に回転式ダンパー５に噛み合う凸部群７を設けるようにしても良い。具体的には、フレーム４の患者氏名表示部４ａ及び救護区分表示部４ｂを挟むように、スライド用凹条部４ｃをフレーム４に二箇所設ける。また、回転式ダンパー５は、一方のスライド用凹条部４ｃの凹部に側面の一部が露出するようにフレーム４内に設けられている。
【００１９】
保護カバー６は、患者氏名表示部４ａを隠すように下方にスライドした状態で、救護区分表示部４ｂに対応する位置に透明性を有する救護区分表示窓６ａを備えている。また、保護カバー６は、一方の側面に凸部群７を設け、他方の側面にスライド用凸条部６ａを設けている。ここで、凸部群７もスライド用凹条部４ｃに挿入可能である。
【００２０】
このように構成した廊下灯は、常態において、保護カバー６が下方にスライドした状態となっている。この状態では、保護カバー６により患者氏名表示部４ａが隠れている。また、各患者の救護区分については、保護カバー６に設けた救護区分表示窓６ａを介して救護区分表示部４ｂにより確認することが可能である。一方、患者の氏名を確認する場合には、看護師は、図３に示すように、保護カバー６を上方にスライドさせる。そして、看護師が患者の氏名の確認を終えて保護カバー６から手を放すと、保護カバー６は、自重により下方にスライドし、患者氏名表示部４ａを隠す状態となる。
【００２１】
ここで、回転式ダンパー５及び凸部群７の働きにより、保護カバー６が下方に移動する速度が緩和されるので、保護カバー６は、下方にゆっくりとスライドする。これにより、保護カバー６が元の位置に戻る際に、保護カバー６とフレーム４との衝突時の騒音や衝撃が緩和される。従って、看護師に余計な気を使わせることなく、患者の氏名を確実に隠すことができる。また、保護カバー６が下方にゆっくりとスライドするので、保護カバー６を上方に引き上げた場合に、患者の氏名が表示される時間が長くなる。従って、患者の氏名を確認する際に、看護師は、保護カバー６を押さえておく必要がなくなる。
【００２２】
また、前述した実施形態では、保護カバー２の表面と突出部２ｃとの境界部分が鋭角を成しているが、これに限定されない。例えば、図４（ａ）に示すように、側面にスライド用凸条部８ａを備えた保護カバー８の表面と突出部８ｂとの境界部分が曲面を形成するようにしても良い。ここで、クッション９は、突出部８ｂの下方に設けられている。
【００２３】
また、前述した実施形態では、保護カバー２，８の突出部２ｃ，８ｂが保護カバー２，８の両側面に渡って形成されているが、これに限定されない。例えば、保護カバーの上部の一部に形成されるようにしても良い。
【００２４】
また、前述した実施形態では、保護カバー２の上方の突出部２ｃの下方にクッション３を設けているが、これに限定されない。例えば、図４（ｂ）に示すように、側面にスライド用凸条部１０ａを備えた保護カバー１０の下方にクッション１１を設けるようにしても良い。これにより、保護カバー１０に突出部が存在しないので、廊下灯を薄型化することができる。
【００２５】
また、前述した実施形態では、保護カバー２は、患者氏名表示窓２ｂを除いて不透明の部材により構成されているが、これに限定されない。例えば、図５に示すように、保護カバー１２全体を透明性を有する部材により構成するようにしても良い。ここで、保護カバー１２は、側面にスライド用凸条部１２ａを備えている。また、保護カバー１２は、表面に対して平行なスリット部１２ｂを有しており、このスリット部１２ｂに紙などの不透明な部材により構成されたシートを挟むことで不透明となる。
【００２６】
シートとしては、病室内のベッドの数に合わせて異なるシートを用意することで、様々な廊下灯に対応することができる。例えば、ベッドの数が４床の場合には、４床用シート１４が用いられる。４床用シート１４は、図示しないフレームの救護区分表示部に対応する位置に救護区分表示窓１４ａを備えている。また、ベッドの数が６床の場合には、６床用シート１５が用いられる。６床用シート１５は、図示しないフレームの救護区分表示部に対応する位置に救護区分表示窓１５ａを備えている。また、保護カバー１２の突出部の下方には、クッション１３が設けられている。
【００２７】
また、このような場合において、４床用シート１４や６床用シート１５の表面に絵や写真を印刷しても良いし、４床用シート１４や６床用シート１５の前面に絵や写真などを挟むようにしても良い。また、このような場合において、絵や写真を見易くするために、保護カバー１２の表面をシボ加工しても良い。
【００２８】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００２９】
本発明は、病院などの施設における病室の出入口の近傍に設けられ、病室の番号や患者の氏名などを表示する廊下灯に有用である。
【図面の簡単な説明】
【００３０】
【図１】本実施形態による廊下灯の構成例を示す図である。
【図２】本実施形態による廊下灯の保護カバーのスライド状態を示す図である。
【図３】本実施形態による廊下灯の変形例を示す図である。
【図４】本実施形態による廊下灯の保護カバーの変形例を示す図である。
【図５】本実施形態による廊下灯の保護カバーの他の変形例を示す図である。
【符号の説明】
【００３１】
１，４    フレーム
１ａ，４ａ    患者氏名表示部
１ｂ，４ｂ    救護区分表示部
１ｃ，４ｃ    スライド用凹条部
２，６，８，１０，１２    保護カバー
２ａ，６ａ    救護区分表示窓
２ｂ，６ｂ，８ａ，１０ａ，１２ａ    スライド用凸条部
２ｃ，８ｂ    突出部
３，９，１１，１３    クッション
５    回転式ダンパー
７    凸部群
１２ｂ    スリット部
１４    ４床用シート
１５    ６床用シート
【図１】
2007094608.tif 000003
【図２】
2007094608.tif 000004
【図３】
2007094608.tif 000005
【図４】
2007094608.tif 000006
【図５】
2007094608.tif 000007